(57)【要約】【課題】器具効率を落とすことなくまぶしさを低減できる照明器具を提供する。【解決手段】照明器具１０は、ＬＥＤパッケージ１３と、ＬＥＤパッケージ１３の前方に配置された反射板１４と、ＬＥＤパッケージ１３の前方に配置されたカバー１５とを備え、カバー１５は、ＬＥＤパッケージ１３の前方の中央部においてＬＥＤパッケージ１３からの光を反射板１４へ反射させるための反射面２５を設ける。【選択図】図２
2012004080.tif 000002
【特許請求の範囲】
【請求項１】
ＬＥＤパッケージと、
前記ＬＥＤパッケージの前方に配置された反射板と、
前記ＬＥＤパッケージの前方に配置されたカバーとを備え、
前記カバーは、前記ＬＥＤパッケージの前方の中央部において前記ＬＥＤパッケージからの光を前記反射板へ反射させるための反射面を設ける照明器具。
【請求項２】
請求項１に記載の照明器具において、
前記反射面は、前記ＬＥＤパッケージに対して凸形状または凹形状である照明器具。
【発明の詳細な説明】
【技術分野】
【０００１】
本発明は、ＬＥＤパッケージを光源として天井面に埋設されるダウンライト等に適用される照明器具に関する。
【背景技術】
【０００２】
従来より、ＬＥＤパッケージの光照射方向に、所定の波長領域の光を吸収して照明光の色度を調整するためのフィルタである色度調整部材を設けた照明器具が知られている（例えば、特許文献１参照）。
【先行技術文献】
【特許文献】
【０００３】
【特許文献１】特開２０１０−４４８７４号公報（図４、請求項１）
【発明の概要】
【発明が解決しようとする課題】
【０００４】
ＬＥＤパッケージに有する発光ダイオードは、その構造上、光の指向性が高く、高輝度であって低立体角の光源であるために強く細い光を発光する。そのため、発光ダイオードは、それ自体がまぶしいために、使用者の目がくらんで目に良くない。これに対して、発光ダイオードのまぶしさを防止するためにキャップ等を取り付けた場合、キャップにより器具効率が低下する。
前述した特許文献１に記載された照明器具は、色度調整部材により、ＬＥＤパッケージからの所定の波長領域の光を吸収して照明光の色度を調整することができる。
しかし、前述した特許文献１に記載された照明器具は、色度のばらつきを抑制できるものの、器具効率を落とすことなくまぶしさを低減できない。
【０００５】
本発明は、前述した課題を解決するためになされたものであり、その目的は、器具効率を落とすことなくまぶしさを低減できる照明器具を提供することにある。
【課題を解決するための手段】
【０００６】
本発明に係る照明器具は、ＬＥＤパッケージと、ＬＥＤパッケージの前方に配置された反射板と、ＬＥＤパッケージの前方に配置されたカバーとを備え、カバーは、ＬＥＤパッケージの前方の中央部においてＬＥＤパッケージからの光を反射板へ反射させるための反射面を設ける。
【０００７】
本発明に係る照明器具は、反射面は、ＬＥＤパッケージに対して凸形状または凹形状である。
【発明の効果】
【０００８】
本発明に係る照明器具によれば、器具効率を落とすことなくまぶしさを低減できるという効果を奏する。
【図面の簡単な説明】
【０００９】
【図１】本発明に係る第１実施形態の照明器具の斜め下方から視た外観斜視図
【図２】図１の照明器具の要部の一部破断斜視図
【図３】図１の照明器具の垂直断面図
【図４】本発明に係る第２実施形態の照明器具の垂直断面図
【発明を実施するための形態】
【００１０】
以下、本発明に係る複数の実施形態の照明器具について図面を参照して説明する。
(第１実施形態)
本発明に係る第１実施形態の照明器具１０は、器具本体１１と、枠１２と、器具本体１１に収容された複数のＬＥＤパッケージ１３と、ＬＥＤパッケージ１３のそれぞれの前方に配置された複数の反射板１４と、ＬＥＤパッケージ１３の前方に配置されたカバー１５とを備えて不図示の天井面に有する不図示の取付穴に埋設されるダウンライトである。
【００１１】
図１に示すように、器具本体１１は、絶縁性を有する硬質な樹脂材料等を用いて天板付きの略円筒形状に形成されている。器具本体１１の上部には、不図示の電源装置が取り付けられており、この電源装置に電気的に接続された電源端子台１６が器具本体１１の側部に取り付けられている。電源装置はＬＥＤパッケージ１３に有するＬＥＤ基板（図２参照）１７に形成された不図示のプリント回路に電気的に接続される。電源端子台１６は、一方が外部の電源回路が電気的に接続され、他方が電源装置に電気的に接続される。
【００１２】
枠１２は、器具本体１１と同等の樹脂材料等を用いて円筒形状に形成されており、器具本体１１の前方にねじ止めされている。この枠１２は、下端部に天井面の下面に当接するフランジ１８を有し、外周部に複数の金属製の取付ばね１９が取り付けられている。取付ばね１９は器具本体１１が天井面の取付穴に挿入された後に水平方向に弾性復元されて天井面の上面に係止されることにより器具本体１１を天井面に支持する。枠１２は、その内周面に枠側反射面２０を有する。
【００１３】
図２に示すように、ＬＥＤパッケージ１３は、円形のＬＥＤ基板１７の下面の所定位置に実装されている。ＬＥＤ基板１７は器具本体１１の下端面に取り付けられている。反射板１４は、円形の外形を有する反射板形成部材２１におけるＬＥＤパッケージ１３に対応した所定位置に頂部を切除された略半球形状に形成されている。反射板１４は、その頂部開口２２がそれぞれのＬＥＤパッケージ１３を囲むように複数配置されている。
【００１４】
カバー１５は、透光性を有する例えば白色や乳白色で厚みの薄い樹脂製であって、反射板形成部材２１の前方に枠１２を介して取り付けられている。カバー１５は、円板形状に形成されたカバー本体２３の上面に、ＬＥＤパッケージ１３のそれぞれの前方の中央部、即ちＬＥＤパッケージ１３のそれぞれの光軸中心に対応する位置に中央反射部２４が形成されている。この中央反射部２４はＬＥＤパッケージ１３に対して凸形状の円錐形に形成されており、外面に反射面２５を有する。反射面２５はＬＥＤパッケージ１３からの光を全反射させる光学的な特性を有する。
【００１５】
次に、照明器具１０の光学的な特性について説明する。
図３に示すように、照明器具１０は、電源端子台１６に外部の電源回路から商用電源が給電されることにより電源装置からＬＥＤ基板１７にＬＥＤパッケージ駆動電流が流れてＬＥＤパッケージ１３が発光される。ＬＥＤパッケージ１３からの光は、図３中に破線で示すように、中央反射部２４の側部においてカバー本体２３に向けて進行されるとともに中央反射部２４に向けて進行される。カバー本体２３に向けて進行された光は、カバー本体２３を透過して床面に向けて照射される。中央反射部２４に向けて進行された光は、中央反射部２４の反射面２５において反射して反射光となって反射板形成部材２１の反射板１４に向けて進行される。反射板１４に向けて進行された反射光は反射板１４において反射して反射光となってカバー本体２３を透過して床面に向けて照射される。そのため、ＬＥＤパッケージ１３の光軸中心の光はカバー本体２３を透過して床面に向けて照射されずに、中央反射部２４の反射面２５と反射板形成部材２１の反射板１４とにおいて反射してからカバー本体２３を透過して床面を照射されることになる。
【００１６】
従って、この第１実施形態の照明器具１０においては、カバー１５の中央反射部２４に有する反射面２５によりＬＥＤパッケージ１３の光軸中心の光がカバー１５のカバー本体２３を直接透過されない。
これにより、この第１実施形態の照明器具１０においては、ＬＥＤパッケージ１３からの光がまぶしい光にならずに使用者の目がくらむこともないので、まぶしさを低減できる。
【００１７】
また、この第１実施形態の照明器具１０においては、カバー１５は、発光ダイオードの光によるまぶしさを防止するためのキャップのように光を遮ることがない。
これにより、この第１実施形態の照明器具１０においては、器具効率が低下しない。
【００１８】
そして、この第１実施形態の照明器具１０においては、中央反射部２４に有する反射面２５がＬＥＤパッケージ１３に対して凸形状に形成されている。
これにより、この第１実施形態の照明器具１０においては、カバー１５を成形する金型をわずかに変更するだけで従来のカバーと同様に作製することができるのでコスト面で有利にできる。
【００１９】
（第２実施形態）
次に、本発明に係る第２実施形態の照明器具について説明する。なお、以下の第２実施形態において、上述した第１実施形態と重複する構成要素や機能的に同様な構成要素については、図中に同一符号あるいは相当符号を付することによって説明を簡略化あるいは省略する。
【００２０】
図４に示すように、本発明に係る第２実施形態の照明器具３０は、ＬＥＤパッケージ１３に対して凹形状の反射面３１を有する中央反射部３２を設けたカバー３３が適用されている。中央反射部３２は円柱形状に形成されており、反射面３１は、中央反射部３２の上面の中央部に略半球形状に切除されており、ＬＥＤパッケージ１３からの光を全反射させる光学的な特性を有する。
【００２１】
照明器具３０は、カバー本体３４に向けて進行されたＬＥＤパッケージ１３からの光が、中央反射部３２の側部においてカバー本体３４を透過して床面に向けて照射される。中央反射部３２に向けて進行された光は、中央反射部３２の反射面３１において反射して反射光となって反射板形成部材２１の反射板１４に向けて進行される。反射板１４に向けて進行された反射光は反射板１４において反射して反射光となってカバー本体３４を透過して床面に向けて照射される。そのため、ＬＥＤパッケージ１３の光軸中心の光はカバー本体３４を透過して床面に向けて照射されずに、中央反射部３２の反射面３１と反射板形成部材２１の反射板１４とにおいて反射してからカバー本体３４を透過して床面を照射されることになる。
【００２２】
従って、この第２実施形態の照明器具３０においては、中央反射部３２に有する反射面３１がＬＥＤパッケージ１３に対して凹形状に形成されている。
これにより、この第２実施形態の照明器具３０においては、カバー１５を成形する金型をわずかに変更するだけで従来のカバーと同様に作製することができるのでコスト面で有利にできる。
【００２３】
なお、第１実施形態，第２実施形態において例示した器具本体，枠，ＬＥＤパッケージ，反射板，電源端子台等は例示したものに限定するものではなく適宜変更が可能である。
【符号の説明】
【００２４】
１０，３０  照明器具
１３  ＬＥＤパッケージ
１４  反射板
１５，３３  カバー
２５，３１  反射面
【図１】
2012004080.tif 000003
【図２】
2012004080.tif 000004
【図３】
2012004080.tif 000005
【図４】
2012004080.tif 000006